【手続補正書】
【提出日】平成29年2月23日(2017.2.23)
【手続補正１】
【補正対象書類名】明細書
【補正対象項目名】０００９
【補正方法】変更
【補正の内容】
【０００９】
そこで、本発明では、印刷の割り込みを容易に行うことで、効率よく印刷処理を行うことができる、印刷装置、印刷システム、制御方法、及びプログラムを提供することを目的とする。
【手続補正２】
【補正対象書類名】明細書
【補正対象項目名】００１０
【補正方法】変更
【補正の内容】
【００１０】
上記目的を達成するための第１の発明は、印刷の割り込みを制御する印刷装置であって、ユーザの印刷ジョブを受付ける受付手段と、前記受付手段で受付けた印刷ジョブを実行する実行手段と、前記受付手段によって受付けた印刷ジョブを表示する表示手段と、を備え、前記表示手段は、ユーザを特定可能な通信機器の通信に基づき、前記実行手段による実行を待機している印刷ジョブのユーザの通信機器が当該印刷装置の近い位置に居ることを検知すると、当該ユーザの印刷ジョブを割り込み対象として表示することを特徴とする。
【手続補正３】
【補正対象書類名】明細書
【補正対象項目名】００１１
【補正方法】変更
【補正の内容】
【００１１】
上記目的を達成するための第２の発明は、通信機器と印刷装置とがネットワークを介して接続された印刷システムであって、前記印刷装置は、ユーザの印刷ジョブを受付ける受付手段と、前記受付手段で受付けた印刷ジョブを実行する実行手段と、前記受付手段によって受付けた印刷ジョブを表示する表示手段と、を備え、前記通信機器は、前記印刷装置に対してユーザにかかる情報を送信する送信手段、を備え、前記表示手段は、ユーザを特定可能な通信機器の通信に基づき、前記実行手段による実行を待機している印刷ジョブのユーザの通信機器が当該印刷装置の近い位置に居ることを検知すると、当該ユーザの印刷ジョブを割り込み対象として表示することを特徴とする。
【手続補正４】
【補正対象書類名】明細書
【補正対象項目名】００１２
【補正方法】変更
【補正の内容】
【００１２】
上記目的を達成するための第３の発明は、印刷の割り込みを制御する印刷装置の制御方法であって、前記印刷装置は、ユーザの印刷ジョブを受付ける受付ステップと、前記受付ステップで受付けた印刷ジョブを実行する実行ステップと、前記受付ステップによって受付けた印刷ジョブを表示する表示ステップと、を実行し、前記表示ステップは、ユーザを特定可能な通信機器の通信に基づき、前記実行ステップによる実行を待機している印刷ジョブのユーザの通信機器が当該印刷装置の近い位置に居ることを検知すると、当該ユーザの印刷ジョブを割り込み対象として表示することを実行することを特徴とする。
【手続補正５】
【補正対象書類名】明細書
【補正対象項目名】００１３
【補正方法】変更
【補正の内容】
【００１３】
上記目的を達成するための第４の発明は、印刷の割り込みを制御する印刷装置で読取実行可能なプログラムあって、前記印刷装置を、ユーザの印刷ジョブを受付ける受付手段と、前記受付手段で受付けた印刷ジョブを実行する実行手段と、前記受付手段によって受付けた印刷ジョブを表示する表示手段と、を備え、前記表示手段は、ユーザを特定可能な通信機器の通信に基づき、前記実行手段による実行を待機している印刷ジョブのユーザの通信機器が当該印刷装置の近い位置に居ることを検知すると、当該ユーザの印刷ジョブを割り込み対象として表示する手段として機能させるためのプログラムである。
【手続補正６】
【補正対象書類名】明細書
【補正対象項目名】００１４
【補正方法】変更
【補正の内容】
【００１４】
上記目的を達成するための第５の発明は、通信機器と印刷装置とがネットワークを介して接続された印刷システムの制御方法であって、前記印刷装置は、ユーザの印刷ジョブを受付ける受付ステップと、前記受付ステップで受付けた印刷ジョブを実行する実行ステップと、前記受付ステップによって受付けた印刷ジョブを表示する表示ステップと、を実行し、前記通信機器は、前記印刷装置に対してユーザにかかる情報を送信する送信ステップ、を実行し、前記表示ステップは、ユーザを特定可能な通信機器の通信に基づき、前記実行ステップによる実行を待機している印刷ジョブのユーザの通信機器が当該印刷装置の近い位置に居ることを検知すると、当該ユーザの印刷ジョブを割り込み対象として表示することを実行することを特徴とする。
【手続補正７】
【補正対象書類名】明細書
【補正対象項目名】００１５
【補正方法】変更
【補正の内容】
【００１５】
上記目的を達成するための第６の発明は、通信機器と印刷装置とがネットワークを介して接続された印刷システムで読取実行可能なプログラムあって、前記印刷装置を、ユーザの印刷ジョブを受付ける受付手段と、前記受付手段で受付けた印刷ジョブを実行する実行手段と、前記受付手段によって受付けた印刷ジョブを表示する表示手段と、して機能させ、前記通信機器を、前記印刷装置に対してユーザにかかる情報を送信する送信手段、として機能させ、前記表示手段は、ユーザを特定可能な通信機器の通信に基づき、前記実行手段による実行を待機している印刷ジョブのユーザの通信機器が当該印刷装置の近い位置に居ることを検知すると、当該ユーザの印刷ジョブを割り込み対象として表示する手段として機能させるためのプログラムである。
【手続補正８】
【補正対象書類名】明細書
【補正対象項目名】００１６
【補正方法】変更
【補正の内容】
【００１６】
本発明に依れば、印刷の割り込みを容易に行うことで、効率よく印刷処理を行うことを可能とする。
【手続補正９】
【補正対象書類名】特許請求の範囲
【補正対象項目名】全文
【補正方法】変更
【補正の内容】
【特許請求の範囲】
【請求項１】
印刷の割り込みを制御する印刷装置であって、
ユーザの印刷ジョブを受付ける受付手段と、
前記受付手段で受付けた印刷ジョブを実行する実行手段と、
前記受付手段によって受付けた印刷ジョブを表示する表示手段と、
を備え、
前記表示手段は、ユーザを特定可能な通信機器の通信に基づき、前記実行手段による実行を待機している印刷ジョブのユーザの通信機器が当該印刷装置の近い位置に居ることを検知すると、当該ユーザの印刷ジョブを割り込み対象として表示することを特徴とする印刷装置。
【請求項２】
前記表示手段は、ユーザの通信機器が近くに居ることを検知すると、前記実行手段で実行中の印刷ジョブに対して、当該ユーザの印刷ジョブを割り込み対象として表示することを特徴とする請求項１に記載の印刷装置。
【請求項３】
前記表示手段は、第１ユーザの印刷ジョブが前記実行手段で実行中に、第２ユーザの通信機器が近くに居ることを検知すると、当該第２ユーザの印刷ジョブを割り込み対象として表示することを特徴とする請求項１または２に記載の印刷装置。
【請求項４】
前記表示手段は、第１ユーザの印刷ジョブが前記実行手段で実行中に、第１ユーザの情報処理装置が近くに居ることを検知しているとき、第２ユーザの印刷ジョブを割り込み対象として表示することを特徴とする請求項１乃至３の何れか１項に記載の印刷装置。
【請求項５】
前記表示手段は、第１ユーザの印刷ジョブが前記実行手段で実行中に、第１ユーザの通信機器と、第２ユーザの通信機器とが近くに居ることを検知すると、第２ユーザの印刷ジョブを割り込み対象として表示することを特徴とする請求項１乃至４の何れか１項に記載の印刷装置。
【請求項６】
前記表示手段は、第１ユーザの印刷ジョブが前記実行手段で実行中に、第１ユーザの通信機器よりも第２ユーザの通信機器が近くに居ることを検知すると、第２ユーザの印刷ジョブを割り込み対象として表示することを特徴とする請求項１乃至５の何れか１項に記載の印刷装置。
【請求項７】
前記表示手段は、第１ユーザの印刷ジョブが前記実行手段で実行中に、第１ユーザの情報処理装置と第２ユーザの情報処理装置とが所定距離離れたことを検知すると、第２ユーザの印刷ジョブを割り込み対象として表示することを特徴とする請求項１乃至６の何れか１項に記載の印刷装置。
【請求項８】
前記表示手段は、実行中の印刷ジョブと、当該実行中の印刷ジョブに対する割り込み対象の印刷ジョブを識別して表示することを特徴とする請求項１乃至７の何れか１項に記載の印刷装置。
【請求項９】
前記表示手段は、前記印刷装置の近い位置に前記実行手段で実行されていない印刷ジョブのユーザの通信機器が居ることを検知したことによって、当該印刷ジョブを割り込み対象となる印刷ジョブとして表示する際に、当該割り込み対象となる印刷ジョブの割り込み印刷を許可するための許可部を表示することを特徴とする請求項１乃至８の何れか１項に記載の印刷装置。
【請求項１０】
通信機器と印刷装置とがネットワークを介して接続された印刷システムであって、
前記印刷装置は、
ユーザの印刷ジョブを受付ける受付手段と、
前記受付手段で受付けた印刷ジョブを実行する実行手段と、
前記受付手段によって受付けた印刷ジョブを表示する表示手段と、
を備え、
前記通信機器は、
前記印刷装置に対してユーザにかかる情報を送信する送信手段、
を備え、
前記表示手段は、ユーザを特定可能な通信機器の通信に基づき、前記実行手段による実行を待機している印刷ジョブのユーザの通信機器が当該印刷装置の近い位置に居ることを検知すると、当該ユーザの印刷ジョブを割り込み対象として表示することを特徴とする印刷システム。
【請求項１１】
印刷の割り込みを制御する印刷装置の制御方法であって、
前記印刷装置は、
ユーザの印刷ジョブを受付ける受付ステップと、
前記受付ステップで受付けた印刷ジョブを実行する実行ステップと、
前記受付ステップによって受付けた印刷ジョブを表示する表示ステップと、
を実行し、
前記表示ステップは、ユーザを特定可能な通信機器の通信に基づき、前記実行ステップによる実行を待機している印刷ジョブのユーザの通信機器が当該印刷装置の近い位置に居ることを検知すると、当該ユーザの印刷ジョブを割り込み対象として表示することを実行することを特徴とする印刷装置の制御方法。
【請求項１２】
印刷の割り込みを制御する印刷装置で読取実行可能なプログラムあって、
前記印刷装置を、
ユーザの印刷ジョブを受付ける受付手段と、
前記受付手段で受付けた印刷ジョブを実行する実行手段と、
前記受付手段によって受付けた印刷ジョブを表示する表示手段と、
を備え、
前記表示手段は、ユーザを特定可能な通信機器の通信に基づき、前記実行手段による実行を待機している印刷ジョブのユーザの通信機器が当該印刷装置の近い位置に居ることを検知すると、当該ユーザの印刷ジョブを割り込み対象として表示する手段と
して機能させるためのプログラム。
【請求項１３】
通信機器と印刷装置とがネットワークを介して接続された印刷システムの制御方法であって、
前記印刷装置は、
ユーザの印刷ジョブを受付ける受付ステップと、
前記受付ステップで受付けた印刷ジョブを実行する実行ステップと、
前記受付ステップによって受付けた印刷ジョブを表示する表示ステップと、
を実行し、
前記通信機器は、
前記印刷装置に対してユーザにかかる情報を送信する送信ステップ、
を実行し、
前記表示ステップは、ユーザを特定可能な通信機器の通信に基づき、前記実行ステップによる実行を待機している印刷ジョブのユーザの通信機器が当該印刷装置の近い位置に居ることを検知すると、当該ユーザの印刷ジョブを割り込み対象として表示することを実行することを特徴とする印刷システムの制御方法。
【請求項１４】
通信機器と印刷装置とがネットワークを介して接続された印刷システムで読取実行可能なプログラムあって、
前記印刷装置を、
ユーザの印刷ジョブを受付ける受付手段と、
前記受付手段で受付けた印刷ジョブを実行する実行手段と、
前記受付手段によって受付けた印刷ジョブを表示する表示手段と、
して機能させ、
前記通信機器を、
前記印刷装置に対してユーザにかかる情報を送信する送信手段、
として機能させ、
前記表示手段は、ユーザを特定可能な通信機器の通信に基づき、前記実行手段による実行を待機している印刷ジョブのユーザの通信機器が当該印刷装置の近い位置に居ることを検知すると、当該ユーザの印刷ジョブを割り込み対象として表示する手段と
して機能させるためのプログラム。